(57)【要約】【課題】簡易な取付具を使用して様々な使用態様において電子機器本体を固定し得る電子機器を提供する。【解決手段】電子機器本体２と、電子機器本体２の底面２ｅに取り付けられる支持足３とを備えた電子機器１であって、支持足３をねじ止め可能な第１取付孔が形成された折曲部４１と、電子機器本体２の側面２ｂ，２ｃへの取り付けに使用される第２取付孔４５が形成された取付部４２とでＬ字状に形成されたＬ型金具４を少なくとも一対備え、第２取付孔４５に挿入されたねじ４６と螺合するねじ孔１１ａ〜１１ｄが電子機器本体２の側面２ｂ，２ｃに形成されている。【選択図】　　　　図１
2004031615.tif 000002
【特許請求の範囲】
【請求項１】
電子機器本体と、当該電子機器本体の底面に取り付けられる支持足とを備えた電子機器であって、
前記支持足をねじ止め可能な第１取付孔が形成された第１の平板部と、前記電子機器本体の側面への取り付けに使用される第２取付孔が形成された第２の平板部とでＬ字状に形成されたＬ型金具を少なくとも一対備え、
前記第２取付孔に挿入された固定用ねじと螺合するねじ孔が前記電子機器本体の両側面に形成されている電子機器。
【請求項２】
前記第２取付孔は、前記第２の平板部の長手方向に沿って長尺な長孔状に形成されている請求項１記載の電子機器。
【請求項３】
前記Ｌ型金具を２対備え、
前記電子機器本体の前記各側面における正面側および背面側の位置には、その側面の高さ方向に沿って前記ねじ孔が２つ以上それぞれ形成されている請求項２記載の電子機器。
【発明の詳細な説明】
【０００１】
【発明の属する技術分野】
本発明は、電子機器本体と、電子機器本体の底面に取り付けられる支持足とを備えた電子機器に関するものである。
【０００２】
【従来の技術】
この種の電子機器として、図１３に示す電子機器５１が従来から知られている。この電子機器５１は、同図に示すように、電子機器本体５２と、電子機器本体５２の底面に取り付けられた樹脂（例えばゴムのような摩擦係数の大きな樹脂）製の支持足３，３・・（一例として４個）とを備えて構成されている。この場合、各支持足３，３・・は、通常、電子機器本体５２の底面５２ｅにおける四隅にそれぞれ固定用ねじ（以下、「ねじ」ともいう）５４，５４・・を用いて取り付けられて、電子機器５１を机等の上に載置した際に、ずれにくい安定した状態で電子機器本体５２を支持する機能を有している。
【０００３】
一方、電子機器５１の使用態様としては、上記したように机等の上に載置して使用する態様以外に、例えばラック等に固定して使用する態様もある。このような使用態様を望む場合、ユーザーとしては、電子機器５１の製造メーカや金属加工メーカに対して、図１４に示すような電子機器５１専用の取付具５５，５５の設計・製造を依頼する必要がある。この使用態様では、その取付具５５，５５を電子機器５１にねじ止めによって固定することで、固定した取付具５５，５５を利用して電子機器５１をラック等に固定することが可能となる。この場合、ラックに固定する際には、電子機器本体５２の底面５２ｅから突出する支持足３，３・・が邪魔になることもあるため、通常、支持足３，３・・を電子機器本体５２の底面５２ｅから取り外している。
【０００４】
【発明が解決しようとする課題】
ところが、従来の電子機器５１には、以下の問題点がある。すなわち、従来の電子機器５１では、ラック等に固定する場合、電子機器５１専用の取付具５５，５５を使用する必要がある。この場合、取付具５５，５５が注文生産品であるため、電子機器５１を最適な状態でラックに固定できるものの、取付具５５，５５の設計費や製造費に起因して電子機器５１全体としての価格が高騰するという問題がある。また、異なる構造の他の種類のラックに電子機器５１を取り付ける際には、新たな取付具を再び設計および製造する必要があるため、時間と費用を要するという問題も存在する。
【０００５】
本発明は、かかる問題点に鑑みてなされたものであり、簡易な取付具を使用して様々な使用態様において電子機器本体を固定し得る電子機器を提供することを主目的とする。
【０００６】
【課題を解決するための手段】
上記目的を達成すべく請求項１記載の電子機器は、電子機器本体と、当該電子機器本体の底面に取り付けられる支持足とを備えた電子機器であって、前記支持足をねじ止め可能な第１取付孔が形成された第１の平板部と、前記電子機器本体の側面への取り付けに使用される第２取付孔が形成された第２の平板部とでＬ字状に形成されたＬ型金具を少なくとも一対備え、前記第２取付孔に挿入された固定用ねじと螺合するねじ孔が前記電子機器本体の両側面に形成されている。
【０００７】
請求項２記載の電子機器は、請求項１記載の電子機器において、前記第２取付孔は、前記第２の平板部の長手方向に沿って長尺な長孔状に形成されている。
【０００８】
請求項３記載の電子機器は、請求項２記載の電子機器において、前記Ｌ型金具を２対備え、前記電子機器本体の前記各側面における正面側および背面側の位置には、その側面の高さ方向に沿って前記ねじ孔が２つ以上それぞれ形成されている。
【０００９】
【発明の実施の形態】
以下、添付図面を参照して、本発明に係る電子機器の好適な発明の実施の形態について説明する。なお、電子機器５１と同一の構成要素については同一の符号を付して、重複する説明を省略する。
【００１０】
最初に、電子機器１の通常の使用態様（ラック等に取り付けずに机等に載置して使用する態様）における構成について、図面を参照して説明する。
【００１１】
この電子機器１は、図１に示すように、電子機器本体２、４個の支持足３，３・・（同図では２つのみを図示する）、および２対（合計４個）のＬ型金具４ａ，４ｂ，４ｃ，４ｄ（以下、特に区別しないときには「Ｌ型金具４」ともいう）を備えている。なお、以下、各図において、電子機器本体２の一方の側面２ｂ側にＬ型金具４ａ，４ｂのみが記載され、他方の側面２ｃにＬ型金具４ｃ，４ｄが記載されていない場合であっても、その側面２ｃにＬ型金具４ｃ，４ｄがそれぞれ取り付けられているものとする。
【００１２】
また、電子機器本体２は、図１に示すように、その正面２ａに操作スイッチＳＷや表示部ＤＰが配置されている。また、電子機器本体２は、両側面２ｂ，２ｃに４個のねじ孔１１ａ，１１ｂ，１１ｃ，１１ｄ（以下、特に区別しないときには「ねじ孔１１」という）が形成されている。この場合、ねじ孔１１ａ，１１ｂは正面側の位置で電子機器本体２の高さ（厚み）方向に沿ってそれぞれ形成され、ねじ孔１１ｃ，１１ｄは背面側の位置で電子機器本体２の高さ（厚み）方向に沿ってそれぞれ形成されている。また、各ねじ孔１１は、仮想長方形における各頂点上に位置している。つまり、各ねじ孔１１は、電子機器本体２の底面２ｅに沿って互いに平行な上下の各辺と、電子機器本体２の正面２ａに沿って互いに平行な前後の各辺とで形成される各側面２ｂ，２ｃ上の仮想長方形における各頂点の位置に形成され、ねじ孔１１ａは、ねじ孔１１ｂの上方の位置に形成され、ねじ孔１１ｃは、ねじ孔１１ｄの上方の位置に形成されている。
【００１３】
各Ｌ型金具４は、例えば、図１，２に示すように、支持足３をねじ止め可能な第１取付孔４３が形成された折曲部（第１の平板部）４１と、電子機器本体２の側面２ｂ（または２ｃ）への取り付けに使用される２つの第２取付孔４５，４５が形成された平板状の取付部（第２の平板部）４２とを直角に連結してＬ字状に形成されている。この場合、折曲部４１の中央部の一部が、図２に示すように、例えばプレスによる押出加工によって折曲部４１の外面側（同図中の下方）に突出して形成され、この部分が、支持足３を取り付けるための取付凹部４４として機能する。上記した第１取付孔４３は、この取付凹部４４の底面４４ａ（折曲部４１と段違いで平行な面）に形成されている。一方、取付部４２に形成された各第２取付孔４５，４５は、取付部４２の長手方向に沿って長尺な長孔状にそれぞれ形成されると共に、その長手方向に沿った同一仮想直線上にそれぞれ形成されている。
【００１４】
各支持足３，３・・は、図２に示すように、各Ｌ型金具４の折曲部４１における取付凹部４４の底面４４ａの外面側に位置して、第１取付孔４３を利用してねじ５４によってＬ型金具４にねじ止めされる。この場合、取付凹部４４の底面４４ａが折曲部４１における他の部位よりも凹んだ状態に形成されているため、ねじ５４は、その頭５４ａが折曲部４１の内面（図２において上面）から突出しない状態でねじ止めされる。
【００１５】
折曲部４１に支持足３がねじ止めされた各Ｌ型金具４は、折曲部４１を下向きでかつ電子機器本体２側に向けた状態で（図１参照）、図３に示すように、固定用ねじ（以下、「ねじ」ともいう）４６を用いて各側面２ｂ，２ｃに２つずつ取り付けられる。この場合、Ｌ型金具４ａ，４ｃは、上側の第２取付孔４５に挿入したねじ４６を各側面２ｂ，２ｃに形成されたねじ孔１１ａに螺合させ、かつ下側の第２取付孔４５に挿入したねじ４６を各側面２ｂ，２ｃのねじ孔１１ｂに螺合させることにより、各側面２ｂ，２ｃの正面側にそれぞれ取り付けられる。また、Ｌ型金具４ｂ，４ｄは、上側の第２取付孔４５に挿入したねじ４６を各側面２ｂ，２ｃに形成されたねじ孔１１ｃに螺合させ、かつ下側の第２取付孔４５に挿入したねじ４６を各側面２ｂ，２ｃのねじ孔１１ｄに螺合させることにより、各側面２ｂ，２ｃの背面側にそれぞれ取り付けられている。各Ｌ型金具４が各側面２ｂ，２ｃに取り付けられた状態では、各Ｌ型金具４ａ〜４ｄの折曲部４１は、その上面が電子機器本体２の底面２ｅに密着した状態で底面２ｅの四隅にそれぞれ配設される。この場合、各支持足３，３・・を固定する各ねじ５４の頭部５４ａが折曲部４１の上面から突出していないため、各折曲部４１，４１・・は、その上面が電子機器本体２の底面２ｅにそれぞれ密着した状態で配設される。また、各折曲部４１，４１・・が底面２ｅの四隅に配設されることにより、各折曲部４１，４１・・に取り付けられた各支持足３，３・・も電子機器本体２の底面２ｅにおける四隅にそれぞれ配設される。したがって、電子機器１は、机等の上に載置された際に、各支持足３，３・・によってずれのない安定した状態で支持される。
【００１６】
続いて、電子機器１をラック等に固定して使用する態様について、図面を参照して説明する。
【００１７】
図４に示すように、ラック等の水平な取付面Ｐに電子機器１を固定して使用する場合、図３に示す状態から、各ねじ４６を外して各Ｌ型金具４ａ〜４ｄを電子機器本体２からそれぞれ取り外す。次に、各ねじ５４を外して各Ｌ型金具４ａ〜４ｄから支持足３をそれぞれ取り外す。次いで、上下関係を図３に示す状態に維持しつつ、各々の折曲部４１が電子機器本体２に対して反対側を向くように、各Ｌ型金具４ａ〜４ｄを１８０度回転させる。次いで、各ねじ４６を用いて、各Ｌ型金具４ａ〜４ｄを電子機器本体２の各側面２ｂ，２ｃにそれぞれ取り付ける。この状態では、図４に示すように、各Ｌ型金具４ａ〜４ｄの折曲部４１は、電子機器本体２の各側面２ｂ，２ｃにおける下部から側方に向けてそれぞれ突出する。したがって、これらの折曲部４１に形成された第１取付孔４３を利用してねじ５４によって電子機器１を取付面Ｐ上にねじ止めする。これにより、電子機器１はラックに固定される。
【００１８】
また、図５に示すように、水平な取付面Ｐに電子機器１を吊り下げた状態で固定する場合、図４に示した使用態様と同様にして、各Ｌ型金具４ａ〜４ｄを電子機器本体２からそれぞれ取り外し、さらに、各Ｌ型金具４ａ〜４ｄから支持足３をそれぞれ取り外す。次いで、各々の折曲部４１が電子機器本体２に対して反対側を向き、かつ上側に位置するように、各Ｌ型金具４ａ〜４ｄの向きを変える。次いで、各ねじ４６を用いて、各Ｌ型金具４ａ〜４ｄを電子機器本体２の各側面２ｂ，２ｃにそれぞれ取り付ける。この状態では、図５に示すように、各Ｌ型金具４ａ〜４ｄの折曲部４１は、電子機器本体２の各側面２ｂ，２ｃにおける上部から側方に向けてそれぞれ突出する。したがって、これらの折曲部４１に形成された第１取付孔４３を利用してねじ５４によって電子機器１を取付面Ｐにねじ止めする。これにより、電子機器１は、取付面Ｐに吊り下げられた状態で固定される。
【００１９】
また、図６に示すように、ラック等の垂直な取付面Ｐに電子機器１を固定する場合、各Ｌ型金具４ａ〜４ｄを電子機器本体２から取り外し、さらに、各Ｌ型金具４ａ〜４ｄから支持足３を取り外す。次いで、図６に示すように、折曲部４１が電子機器本体２の背面２ｄ側に位置し、かつ横向きとなるように各Ｌ型金具４ａ〜４ｄの向きを変更する。次いで、一例として、ねじ孔１１ｂ，１１ｄ（図１参照）を利用してＬ型金具４ａを側面２ｂの下側にねじ４６で取り付けると共に、ねじ孔１１ａ，１１ｃ（図１参照）を利用してＬ型金具４ｂを側面２ｂの上側にねじ４６で取り付ける。同様にして、他のＬ型金具４ｃ，４ｄも側面２ｃの下側および上側にそれぞれねじ４６で取り付ける。この状態では、図６に示すように、各Ｌ型金具４ａ〜４ｄの折曲部４１は、電子機器本体２の背面２ｄ近傍において、電子機器本体２の各側面２ｂ，２ｃから側方にそれぞれ突出している。したがって、これらの折曲部４１に形成された第１取付孔４３を利用してねじ５４で電子機器１を取付面Ｐの表面にねじ止めする。これにより、電子機器１は、取付面Ｐの表面から突出した状態で取付面Ｐに固定される。
【００２０】
また、上記した図４〜図６に示す状態では、電子機器１が取付面Ｐの表面にほぼ密着して固定されているが、電子機器１を取付面Ｐから離間させて固定することもできる。この場合には、長孔の各第２取付孔４５を利用して、電子機器１を取付部４２の長手方向に沿ってスライドさせて固定する。
【００２１】
また、図７，８に示すように、ラックにおける段差のある取付面Ｐに電子機器１を固定することもできる。この場合、図４を用いて説明した取付方法と同様にして、各Ｌ型金具４ａ〜４ｄを電子機器本体２の各側面２ｂ，２ｃに取り付ける。また、この際に、図７，８に示すように、段差に合わせて、側面２ｂ，２ｃのうちの一方の側面側のＬ型金具４を上方または下方にずらして取り付ける。一例として、図７に示す取付面Ｐに取り付ける場合、側面２ｃ側のＬ型金具４ｃ，４ｄを上方にずらして、Ｌ型金具４ｃ，４ｄにそれぞれ形成された２つの第２取付孔４５のうちの折曲部４１側（同図における下側）の第２取付孔４５，４５と側面２ｃに形成されたねじ孔１１ａ，１１ｃとを利用して電子機器本体２を固定する。また、図８に示す取付面Ｐに取り付ける場合、側面２ｃ側のＬ型金具４ｃ，４ｄを下方にずらして、Ｌ型金具４ｃ，４ｄにそれぞれ形成された２つの第２取付孔４５のうちの折曲部４１から遠い側（同図における上側）の第２取付孔４５，４５と側面２ｃに形成されたねじ孔１１ｂ，１１ｄとを利用して電子機器本体２を固定する。これにより、電子機器１は、取付面Ｐ上に水平な状態で固定される。なお、取付面Ｐの段差が小さい場合には、図４に示す状態、つまり各Ｌ型金具４ａ〜４ｄの各第２取付孔４５を利用して各Ｌ型金具４ａ〜４ｄが電子機器本体２の各側面２ｂ，２ｃにそれぞれ取り付けられている状態において電子機器１の取付位置を調整する。具体的には、図４に示す状態において、まず、側面２ｂ，２ｃのうちの一方の側面に取り付けられたＬ型金具４のねじ４６を緩める。次いで、第２取付孔４５内でねじ４６を相対移動させて、段差に合うようにＬ型金具４の上方または下方へのずらし量を調節する。これにより、電子機器１が取付面Ｐに水平状態で固定される。
【００２２】
また、作業者による電子機器１の操作スイッチＳＷの操作や表示部ＤＰの表示内容の確認を行い易くするために、図９に示すように、取付面Ｐに対して電子機器１を斜め上向きに固定したり、図１０，１１に示すように、取付面Ｐに対して電子機器１を斜め下向きに固定したりすることもできる。このような場合、電子機器本体２の各側面２ｂ，２ｃに各Ｌ型金具４を取り付ける際に、電子機器本体２の正面側と背面側とで取付け位置をずらしてＬ型金具４を取り付ける。
【００２３】
具体的には、図９に示す場合、正面側に配置される各Ｌ型金具４ａ，４ｃを、取付部４２における折曲部４１から遠い第２取付孔４５と各側面２ｂ，２ｃに形成されたねじ孔１１ｂとを利用して取り付けると共に、背面側に配置されるＬ型金具４ｂ，４ｄを、取付部４２における折曲部４１側の第２取付孔４５と側面２ｂ，２ｃに形成されたねじ孔１１ｄとを利用して取り付ける。これにより、電子機器１は、電子機器本体２の正面側が斜め上向きの状態で取付面Ｐに固定される。
【００２４】
また、図１０に示す場合、正面側に配置される各Ｌ型金具４ａ，４ｃを、取付部４２における折曲部４１側の第２取付孔４５と側面２ｂ，２ｃに形成されたねじ孔１１ｂとを利用して取り付けると共に、背面側に配置されるＬ型金具４ｂ，４ｄを、取付部４２における折曲部４１から遠い第２取付孔４５と側面２ｂ，２ｃに形成されたねじ孔１１ｄとを利用して取り付ける。これにより、電子機器１は、電子機器本体２の正面側が斜め下向きの状態で取付面Ｐに固定される。
【００２５】
また、図１１に示す場合、図９，１０に示した取付け方法とは逆に、それぞれの折曲部４１が上方に位置するようにして各Ｌ型金具４ａ〜４ｄを使用する。具体的には、正面側に配置される各Ｌ型金具４ａ，４ｃを、取付部４２における折曲部４１から遠い第２取付孔４５と側面２ｂ，２ｃに形成されたねじ孔１１ａとを利用して取り付けると共に、背面側に配置されるＬ型金具４ｂ，４ｄを、取付部４２における折曲部４１側の第２取付孔４５と側面２ｂ，２ｃに形成されたねじ孔１１ｃとを利用して取り付ける。これにより、電子機器１は、電子機器本体２の正面側が斜め下向きの状態で取付面Ｐに吊り下げられた状態で固定される。
【００２６】
このように、この電子機器１によれば、支持足３をねじ止め可能な第１取付孔４３が形成された折曲部４１と、電子機器本体２の各側面２ｂ，２ｃへの取り付けに使用される第２取付孔４５が取付部４２に形成された取付部４２とで形成されたＬ型金具４ａ〜４ｄを備え、第２取付孔４５に挿入されたねじ４６と螺合するねじ孔１１ａ〜１１ｄを電子機器本体２の両側面２ｂ，２ｃに形成したことにより、簡易な構造のＬ型金具４ａ〜４ｄを使用して様々な使用態様において電子機器本体を取付面Ｐに固定することができる。つまり、電子機器１を机等の上に載置する場合には、それぞれの折曲部４１に支持足３がねじ止めされた各Ｌ型金具４ａ〜４ｄを、それぞれの折曲部４１が電子機器本体２の底面２ｅに対向（例えば密着）するように各側面２ｂ，２ｃに取り付ける。これにより、各折曲部４１，４１・・に取り付けられた各支持足３，３・・が電子機器本体２の底面２ｅにおける四隅に配設されるため、各支持足３，３・・によって電子機器１をずれの少ない安定した状態で机等の上に載置することができる。また、電子機器１をラック等に固定する場合には、それぞれの折曲部４１から支持足３を取り外すと共に、それぞれの折曲部４１が電子機器本体２における各側面２ｂ，２ｃの側方に突出するように各Ｌ型金具４を各側面２ｂ，２ｃに取り付けることにより、各折曲部４１に形成された第１取付孔４３を利用して電子機器１をラック等にねじ止めして固定することができる。
【００２７】
また、この電子機器１によれば、各第２取付孔４５を取付部４２の長手方向に沿って長尺な長孔状に形成したことにより、各第２取付孔４５の長さの範囲内で電子機器本体２を取付部４２の長手方向に沿ってスライドさせることができるため、取付面からの距離を変更して電子機器１を固定することができる。さらに、この電子機器１では、Ｌ型金具４を２対備え、電子機器本体２の各側面２ｂ，２ｃにおける正面側および背面側において、その高さ方向に沿って２個以上のねじ孔１１をそれぞれ形成したことにより、電子機器本体２の各側面２ｂ，２ｃに各Ｌ型金具４を取り付ける際に、電子機器本体２の正面側と背面側とでＬ型金具４の取付け位置をずらすことで、電子機器本体２の正面側を斜め上向きの状態で固定することができるし、逆に斜め下向きの状態で固定することもできる。
【００２８】
なお、本発明は、上記した本発明の実施の形態に示した構成に限定されない。例えば、本発明の実施の形態では、電子機器本体２の各側面２ｂ，２ｃに４個のねじ孔１１ａ〜１１ｄを縦方向および横方向に沿って２個ずつ形成し、これに対応させて各Ｌ型金具４の取付部４２に２個の第２取付孔４５を形成した例について説明したが、各Ｌ型金具４の取付部４２に形成する第２取付孔４５は１個でもよく、また、丸孔であってもよい。さらに、電子機器本体２の側面２ｂ，２ｃに形成するねじ孔についても、図３，４に示した状態においてＬ型金具４を電子機器本体２に取付け可能な位置に形成されている限り、各Ｌ型金具４に対応させて少なくとも１つ形成されていればよい。また、各Ｌ型金具４の取付部４２に形成する第２取付孔４５を１個とし、かつその長さを縦方向に沿ったねじ孔間の距離（例えばねじ孔１１ａ，１１ｂ間の距離、および横方向に沿ったねじ孔間の距離（例えばねじ孔１１ａ，１１ｃ間の距離）のうちの最大の距離よりも長く設定する構成を採用することもできる。さらに、電子機器本体２の各側面２ｂ，２ｃに縦方向および横方向に沿ってねじ孔１１ａ〜１１ｄをそれぞれ３個以上形成し、これに対応して各Ｌ型金具４の取付部４２に３個以上の第２取付孔４５を形成した構成を採用することもできる。
【００２９】
また、本発明の実施の形態では、電子機器本体２の正面側および背面側にそれぞれＬ型金具４を一対ずつ取り付けると共に、ラック等に固定する際には全てのＬ型金具４の折曲部４１を各側面２ｂ，２ｃの側方に突出させてねじ止めする構成を採用した例について説明したが、取付面Ｐの上に電子機器１を簡易的に固定する場合には、正面側および背面側のいずれか一方のＬ型金具４の折曲部４１を各側面２ｂ，２ｃの側方に突出させてねじ止めすることもできる。さらに、電子機器本体２の正面側および背面側のいずれか一方にのみＬ型金具４を利用し、他方側の支持足３は従来の構成によって取り付ける構成を採用することもできる。これらの場合において、電子機器本体２についても、Ｌ型金具４が各側面２ｂ，２ｃに少なくとも１つそれぞれ取り付け可能にねじ孔を各側面２ｂ，２ｃに少なくとも１つ形成して構成することができる。また、本発明の実施の形態では、各Ｌ型金具４は、電子機器１をラック等に固定する際に使用する例を挙げて説明したが、図１２に示すように、複数の電子機器本体２同士を厚み方向に積層して連結する連結手段としても使用することができる。この場合、同図に示すように、１の電子機器本体２のねじ孔１１ａ，１１ｃとその上方の他の電子機器本体２のねじ孔１１ｂ，１１ｄとの間にＬ型金具４を掛け渡してねじ止め固定する。
【００３０】
【発明の効果】
以上のように、請求項１記載の電子機器によれば、支持足をねじ止め可能な第１取付孔が形成された第１の平板部と、電子機器本体の側面への取り付けに使用される第２取付孔が形成された第２の平板部とでＬ字状に形成されたＬ型金具を少なくとも一対備え、第２取付孔に挿入された固定用ねじと螺合するねじ孔を電子機器本体の両側面に形成したことにより、簡易な構造のＬ型金具を使用して様々な使用態様において電子機器本体を固定することができる。具体的には、電子機器を机等の上に載置する場合には、それぞれの第１の平板部に支持足がねじ止めされた各Ｌ型金具を、その第１の平板部が電子機器本体の底面に対向するように各側面に取り付けることにより、各支持足が電子機器本体の底面における四隅に配設されるため、各支持足によって電子機器ずれの少ない安定した状態で机等の上に載置することができる。また、電子機器をラック等に固定して使用する場合には、それぞれの第１の平板部から支持足を取り外すと共に、各第１の平板部が電子機器本体における各側面の側方に突出するように各Ｌ型金具を各側面に取り付けることにより、各第１の平板部に形成された第１取付孔を利用して電子機器をラック等にねじ止めして固定することができる。
【００３１】
また、請求項２記載の電子機器によれば、第２の平板部の長手方向に沿って長尺な長孔状に第２取付孔を形成したことにより、各第２取付孔の長さの範囲内で電子機器本体を第２の平板部の長手方向に沿ってスライドさせることができるため、取付面からの距離を変更して電子機器を固定することができる。
【００３２】
さらに、請求項３記載の電子機器によれば、Ｌ型金具を２対備え、電子機器本体の各側面における正面側および背面側の位置に、その側面の高さ方向に沿ってねじ孔を２つ以上それぞれ形成したことにより、電子機器本体の各側面に各Ｌ型金具を取り付ける際に、電子機器本体の正面側と背面側とでＬ型金具の取付け位置をずらすことで、電子機器を机や床などの低所に設置する際には、電子機器本体の正面側を斜め上向きの状態で固定することができるし、電子機器を機械の上や天井などの高所に設置する際には、逆に斜め下向きの状態で固定することもできる。
【図面の簡単な説明】
【図１】本発明の実施の形態に係る電子機器１の構成を示す斜視図である（Ｌ型金具４の取付け前の状態）。
【図２】Ｌ型金具４における折曲部４１の構成を示す拡大図である。
【図３】図１の状態から電子機器１の各側面２ｂ，２ｃに各Ｌ型金具４，４・・を取り付けて底面２ｅの四隅に支持足３がそれぞれ配置された状態の電子機器１の斜視図である。
【図４】電子機器１をラック等の取付面Ｐに固定した状態の斜視図である。
【図５】電子機器１をラック等の取付面Ｐに吊り下げた状態で固定した状態の斜視図である。
【図６】電子機器１をラック等の取付面Ｐの表面から突出する状態で固定した状態の斜視図である。
【図７】電子機器１をラック等における段差のある取付面Ｐに固定した状態の正面図である。
【図８】電子機器１をラック等における段差のある取付面Ｐに固定した状態の正面図である。
【図９】電子機器１をラック等の取付面Ｐに、その正面側を斜め上方に向けた状態で固定した状態の側面図である。
【図１０】電子機器１をラック等の取付面Ｐに、その正面側を斜め下方に向けた状態で固定した状態の側面図である。
【図１１】電子機器１をラック等の取付面Ｐに、その正面側を斜め下方に向けた状態で吊り下げて固定した状態の側面図である。
【図１２】複数の電子機器本体２同士を厚み方向に積層して、Ｌ型金具４で連結した状態の側面図である。
【図１３】従来の電子機器５１の構成を示す斜視図である。
【図１４】取付具５５を取り付けた状態の電子機器５１の正面図である。
【符号の説明】
１　電子機器
２　電子機器本体
２ｂ，２ｃ　電子機器本体の側面
３　支持足
４ａ，４ｂ，４ｃ，４ｄ　Ｌ型金具
１１ａ，１１ｂ，１１ｃ，１１ｄ　ねじ孔
４１　折曲部
４２　取付部
４３　第１取付孔
４４　取付凹部
４５　第２取付孔
Ｐ　取付面
【図１】
2004031615.tif 000003
【図２】
2004031615.tif 000004
【図３】
2004031615.tif 000005
【図４】
2004031615.tif 000006
【図５】
2004031615.tif 000007
【図６】
2004031615.tif 000008
【図７】
2004031615.tif 000009
【図８】
2004031615.tif 000010
【図９】
2004031615.tif 000011
【図１０】
2004031615.tif 000012
【図１１】
2004031615.tif 000013
【図１２】
2004031615.tif 000014
【図１３】
2004031615.tif 000015
【図１４】
2004031615.tif 000016